(57)【要約】　　　（修正有）【課題】座った人の腰に負担が掛からないように体圧を分散させる座椅子用クッション材及びその座椅子用クッション材を備えた座椅子の提供。【解決手段】座部１に座わる人の臀部に対して当該臀部の下及び後方側から当たるよう座部の内部後端縁に沿って座部の幅方向にわたって設置されるクッション材１０であって、断面を上辺１２より下辺１３が長い台形にして上辺及び下辺を除く２辺の内の一辺を略垂直１４とし他の一辺を傾斜する辺１５としたことを特徴とする座椅子用クッション材、及びこの座椅子用クッション材を備えた座椅子。【選択図】　　図１
0003097837.tif 000002
【実用新案登録請求の範囲】
【請求項１】
座部に座わる人の臀部に対して当該臀部の下及び後方側から当たるよう座部の内部後端縁に沿って座部の幅方向にわたって設置されるクッション材であって、断面を上辺より下辺が長い台形にして上辺及び下辺を除く２辺の内の一辺を略垂直とし他の一辺を傾斜する辺としたことを特徴とする座椅子用クッション材。
【請求項２】
傾斜する辺は傾斜角度を３０度としたことを特徴とする請求項１に記載の座椅子用クッション材。
【請求項３】
請求項１又は請求項２に記載の座椅子用クッション材を備えたことを特徴とする座椅子。
【請求項４】
座椅子用クッション材は座部の内部に積層される少なくとも上下二枚の他のクッション材の間に設置されたことを特徴とする請求項３に記載の座椅子。
【請求項５】
座部と背部とからなる座椅子の座部に背筋を伸ばして座った人がそのまま背部に寄り掛かった姿勢において、座った人の臀部側から腰部側にかけて前記座部及び背部との間に生ずる空隙が埋まるよう、座部の内部にクッション材を設けたことを特徴とする座椅子。
【請求項６】
座部と背部とからなる座椅子の座部に背筋を伸ばして座った人がそのまま背部に寄り掛かった姿勢において、座った人の臀部の腰側よりの部分と前記座部との間に生ずる空隙が埋まるよう、座部の内部にクッション材を設けたことを特徴とする座椅子。
【請求項７】
座部に座った人の腰部に対して当該腰部の左右後方側に当たるよう膨出された一対の突起部を備えた腰当用の座椅子用クッション材が背部に設けられたことを特徴とする請求項３乃至請求項６の何れかに記載の座椅子。
【請求項８】
突起部は半球状であることを特徴とする請求項６又は請求項７に記載の座椅子。
【考案の詳細な説明】
【０００１】
【産業上の利用分野】
本考案は、座椅子用クッション材とそのクッション材を用いた座椅子に関する。
【０００２】
【従来の技術】
従来の座椅子では、座る人に接する座部及び背部の面が基本的に平坦な面であるため、座部に座った人が背部に寄り掛かると、座った人の臀部から腰部側にかけての人体部分と座椅子の座部及び背部との間に空隙が生じ、座った人の腰に無理な負担が生じていた。
【０００３】
【考案が解決しようとする課題】
本考案は、上記のような不都合を解消し、座った人の腰に負担が掛からないように体圧を分散させる座椅子用クッション材及びその座椅子用クッション材を備えた座椅子の提供を目的とする。
【０００４】
【課題を解決するための手段】
請求項１の座椅子用クッション材の考案は、座部に座わる人の臀部に対して当該臀部の下及び後方側から当たるよう座部の内部後端縁に沿って座部の幅方向にわたって設置されるクッション材であって、断面を上辺より下辺が長い台形にして上辺及び下辺を除く２辺の内の一辺を略垂直とし他の一辺を傾斜する辺としたことを特徴とする。
【０００５】
請求項２の考案は、請求項１に記載の座椅子用クッション材において、傾斜する辺は傾斜角度を３０度としたことを特徴とする。
【０００６】
請求項３の座椅子の考案は、請求項１又は請求項２に記載の座椅子用クッション材を備えたことを特徴とする。
【０００７】
請求項４の考案は、請求項３に記載の座椅子において、座椅子用クッション材は座部の内部に積層される少なくとも上下二枚の他のクッション材の間に設置されたことを特徴とする。
【０００８】
請求項５の座椅子の考案は、座部と背部とからなる座椅子の座部に背筋を伸ばして座った人がそのまま背部に寄り掛かった姿勢において、座った人の臀部側から腰部側にかけて前記座部及び背部との間に生ずる空隙が埋まるよう、座部の内部にクッション材を設けたことを特徴とする。
【０００９】
請求項６の座椅子の考案は、座部と背部とからなる座椅子の座部に背筋を伸ばして座った人がそのまま背部に寄り掛かった姿勢において、座った人の臀部の腰側よりの部分と前記座部との間に生ずる空隙が埋まるよう、座部の内部にクッション材を設けたことを特徴とする。
【００１０】
請求項７の考案は、請求項３乃至請求項５の何れかに記載の座椅子において、座部に座った人の腰部に対して当該腰部の左右後方側に当たるように膨出された一対の突起部を備えた腰当用の座椅子用クッション材が背部に設けられたことを特徴とする。
【００１１】
請求項８の考案は、請求項６又は請求項７の座椅子において、突起部は半球状であることを特徴とする。
【００１２】
【考案の実施の形態】
実施の形態１．
実施の形態１は、座部と背部とからなる座椅子の座部に背筋を伸ばして座った人が、そのまま背部に寄り掛かった姿勢において、座った人の臀部側から腰部側にかけて前記座部及び背部との間、或いは臀部の腰側寄り部分と座部との間に生ずる空隙が埋まるよう、座部の内部にクッション材を設けた座椅子である。
【００１３】
本考案において、座部の内部に設けられる上記のクッション材を臀部用の座椅子用クッション材或いは単に臀部用クッションともいう。以下、この臀部用クッションを実施の一例を示す図面に基づいて説明する。図１は座椅子の要部を示す斜視図、図２は説明図である。
【００１４】
図１及び図２において、この臀部用クッション１０は、座部１に背筋を自然に伸ばして座わった人の臀部２に対して、臀部２の下及び後方側から当該臀部２に当たるように、背部３の下端縁３１側と平行に延在する座部１の内部後端縁１１に沿って、当該座部１の幅方向にわたって設置されるクッション材である。
【００１５】
図に示す臀部用クッション１０は、横断面において、上辺１２より下辺１３が長い台形であり、上辺１２及び下辺１３を除く２辺の内の背部３側の一辺１４を略垂直とし、臀部２に当接される側の他の一辺を傾斜する辺１５とした台形状であって、その傾斜する辺１５の傾斜角度を下辺１３に対して３０度としてある。以下、この略垂直な辺１４を垂直辺、傾斜する辺１５を傾斜辺ともいう。
【００１６】
又、図に示す臀部用クッション１０は、座部１の内部に積層される上下二枚の他のクッション材４、５の間に配置されているが、上下側とも２枚以上の他のクッション材（図示せず）を積層してもよいし、臀部用クッション１０の上部には他のクッション材を置かない構成、即ち、図１の例で言えば、他のクッション材４がなく、図２に示すように直接臀部に当てられる構成としてもよい。
尚、図１及び図２ともに、座椅子の座部１及び背部３を包み込む表生地は省略されている。
【００１７】
このように座部１の後端縁１１側に沿って配設される臀部用クッション１０は、座部１に背筋を自然に伸ばして座った人がそのまま背部３に寄り掛かった姿勢にて、座った人の臀部２側から腰部側にかけての座部１及び背部３との間に生ずる空隙が埋まり、臀部２から腰部側にわたる部分の体圧が適度に分散されるように設けることが好ましい。
【００１８】
又、臀部２から腰部側にわたる部分の体圧が適度に分散される弾性力を備えた臀部用クッション１０を用いる場合には、図２に示すように、腰部と背部３との間に空隙を残したままでの設置であってもよい。
即ち、座部１に背筋を伸ばした状態で座った状態において、少なくとも座部１と臀部の腰側寄りの部分との間の空隙が埋まるように、臀部用クッション１０が形成されて、配置されておればよい。
何れにしても、この当該臀部用クッション１０は、座部１に座る人の臀部、より正確には臀部の腰側寄りの部分が臀部用クッション１０の傾斜面１６に乗るように座部１０に配設する。
【００１９】
この実施の形態１によれば、座った人の臀部２側から腰部側にかけての座部１及び背部３との間に生ずる空隙、或いは、少なくとも座部１と臀部の腰側寄りの部分との間の空隙が埋まるように臀部用クッション１０が形成されているので、これを座部１に配置することにより、臀部２から腰部側にわたる部分の体圧、或いは、少なくとも従来では座部１に接していなかった臀部２の腰側寄りの部分が当該臀部用クッション１０に接し、これを介して座部１により支えられる。
これにより、臀部２の体圧が適度に分散され、腰に負担が掛からない楽な姿勢、即ち、背筋がＳ字状に自然に伸ばされた状態を保つことができる。
【００２０】
尚、実験の結果によると、臀部用クッション１０の傾斜する辺１５の傾斜角度は水平に置かれる下辺１３に対して３０度とした場合が最適であった。
勿論、この傾斜角度は正確に３０度である必要はなく、座った状態において背筋が自然に伸ばされるに十分な角度であればよく、その角度は３０度前後であった。
【００２１】
実施の形態２．
実施の形態２は、上記実施の形態１の臀部用クッション１０が座部１に設けられた座椅子において、図１及び図２に示すように、座部１に座った人の腰部に対して当該腰部の左右後方側に当たるよう半球状に膨出された一対の突起部３１、３１を備えた腰当用の座椅子用クッション材（腰当用クッション材）３０を背部３に設けた構成としたものである。
【００２２】
腰部の左右後方側に当たるよう設けられる突起部３１、３１は、必ずしも半球状である必要はなく、要は背部３に体を預けた際に、背筋が垂直に伸ばされた状態にて腰の左右側から保持する突起であればよい。
尚、図示のように、一対の突起部３１、３１を半球状に形成すれば、圧力点を強調して体感させることができると共に、腰を左右から心地よく保持させることができる。
【００２３】
この実施の形態２によれば、背中に受ける両突起部３１、３１の圧力感覚によって、背を両突起部３１、３１間の中央に容易に位置させることができ、背筋を自ずと垂直に維持させることができる。
又、これにより、座部１の臀部用クッション１０と相俟って、座る人の背筋をＳ字状に垂直に伸ばした自然な姿勢に誘うことができるので、腰に掛かる余計な負担を解消させることができる。
【００２４】
【考案の効果】
請求項１乃至請求項８の各考案によれば、何れも、座部に座った人の腰に掛かる負担が従来に比べて大きく解消されるので、長時間にわたって楽に座ることができる。
【００２５】
請求項１乃至請求項２の座椅子用クッション材（臀部用クッション）によれば、これを座部の内部に設けるだけでなく、座椅子とは別体の単体として形成して、座部が平坦な従来型の座椅子の当該座部表面の適所において用いることにより、従来型の座椅子においても、腰に負担を掛けずに使用することができる。
【００２６】
請求項６の考案によれば、座部の臀部用クッションと相俟って、座る人の背筋をＳ字状に垂直に伸ばした自然な姿勢に誘うことができ、一層、腰に掛かる余計な負担を解消させることができる。
【図面の簡単な説明】
【図１】座椅子の要部を示す斜視図である。
【図２】座椅子の要部を示す断面図である。
【符号の説明】
１　座部（座椅子）、　　　　　　　　２　臀部、
３　背部（座椅子）、
１０　座椅子用クッション材（臀部用クッション）
１２　上辺、　　　　　　　　　　　　１３　下辺、
１４　垂直辺、　　　　　　　　　　　１５　傾斜辺、
３０　座椅子用クッション材（腰部用クッション）、
３１　突起部。
【図１】
0003097837.tif 000003
【図２】
0003097837.tif 000004